(57)【要約】      （修正有）【課題】電子機器を確実に保護し、簡単に交換できる保護ケースを提供する。【解決手段】外フレーム１と、後方蓋体２と、前方蓋体３とを含み、外フレームが前方、後方フレーム体１１を含み、前後方フレーム体が電子手段の外周を被覆し、前方フレーム体１０は前方側面にそれぞれ設けられた凹溝と、後方側面に設けられた嵌合溝１３とを具え、後方フレーム体は内縁の後方側面に凸縁部１４を突設し、後方蓋体が凸縁部の内側に嵌設され、前方蓋体が、前方装飾体３０と、接続部材３１と、係止部材３２とを含み、前方装飾体が前方フレーム体内に設けられ、対向する側面に二つの凹溝に延伸した凸部２１を具えてなり、前方装飾体が電子手段の前方側面を被覆し、接続部材が変形して一端が前方装飾体の凸部に接続し、他端が前、後フレーム体に挟んで固定され、係止部材が前方装飾体の別の側面の凸部に接続し、係止部材のフック部３５を嵌合溝に接続するために供する。【選択図】図２
0003170431.tif 000002
【実用新案登録請求の範囲】
【請求項１】
外フレームと、後方蓋体と、前方蓋体と、を有し、
該外フレームは、前方フレーム体と後方フレーム体を有し、該前後方フレーム体は互いに接続してそれぞれ携帯型電子手段の外周面の前後半部分を被覆し、該前方フレーム体は、前方側面両側にそれぞれ凹溝を有し、後方側面の凹溝に対応する位置に嵌合溝を有し、該後方フレーム体は、内縁の後方側面に凸縁部を突設し、
該後方蓋体は、後方フレーム体内に設けられ、凸縁部の内側に嵌設され、
該前方蓋体は、前方装飾体と、接続部材と、係止部材とを有し、該前方装飾体は前方フレーム体内に設けられ、二つの対向する側面に二つの凹溝に延伸した凸部を具え、前方装飾体は、携帯型電子手段の前方側面を被覆し、該接続部材は可撓性を有し、一端が前方装飾体の一側面の凸部に接続し、他端が前、後方フレーム体に挟持されて固定され、該係止部材は、前方装飾体の別の側面の凸部に接続し、係止部材のフック部を嵌合溝に接続することを特徴とする保護ケース。
【請求項２】
前記後方フレーム体は、前方側面に後方嵌合溝と比較的外径の小さい後方穿設溝を有し、該後方穿設溝は、後方嵌合溝から後方フレーム体の一側面に貫通し、前方フレーム体の後方側面には前方嵌合溝を有し、前、後方フレーム体を対向して合わせ外フレームの後方に配し、前後方嵌合溝は、組み合わさって嵌合溝を形成し、接続部材の一端は、後方穿設溝に嵌合するとともに、その端縁部の比較的外径が大きい凸部は嵌合溝に設けられることを特徴とする請求項１に記載の保護ケース。
【請求項３】
前記前方装飾体は、表面に少なくとも一以上の図案を有することを特徴とする請求項１または２に記載の保護ケース。
【請求項４】
前記後方蓋体は、複数の後方装飾体を有することを特徴とする請求項１または２に記載の保護ケース。
【請求項５】
前記後方蓋体は、最も後方側面の後方装飾体が透明で、透明な後方装飾体と内側の後方装飾体との間に写真を挟むことができることを特徴とする請求項４に記載の保護ケース。
【請求項６】
前記前方装飾体及び後方蓋体は、ソーラーパネルであって、太陽光エネルギーを電力に転換して携帯型電子手段に供給して使用できる構造からなることを特徴とする請求項１または２に記載の保護ケース。
【請求項７】
前記保護ケースは、二つの滑動ケースを有し、外フレームの上下側面に携帯型電子手段の接続ポート部分に対応してそれぞれ少なくとも一以上の貫通孔を有し、該二つの滑動ケースが移動、回転して外フレームの上下側面に接続し、外フレームの上下側面の貫通孔を被覆または露出させることができることを特徴とする請求項1または２に記載の保護ケース。
【請求項８】
前記外フレームは、二つの対向する側面にそれぞれ二つの滑動溝を有し、それぞれの滑動溝は、互いに貫通して位置限定溝と位置決め溝とを有し、該位置決め溝の内径は位置限定溝よりも小さく、位置決め溝は位置限定溝の外側に位置し、位置決め溝の両側面にはそれぞれ距離をおいて複数の位置決め凸部を有し、二つの滑動ケースはそれぞれ両側面が外フレームの両側に延伸し、それぞれの側面上には弾性ボタンを有し、対応する滑動溝を滑動して係止し、弾性ボタンは、側面上の円形の柱体に接続され、柱体の端縁部に設けられた比較的大きな外径の凸部に位置し、該凸部の端縁部は柱体の根元部分の少なくとも一以上の溝に延伸し、柱体は位置決め溝内を移動するために供し、該凸部は、位置限定溝内を移動、回転するために供し、溝は柱体が位置決め凸部に押圧されて変形する時の空間になることを特徴とする請求項７に記載の保護ケース。
【請求項９】
シリコンカバーと、外フレームと、滑動蓋とを有し、
該シリコンカバーは、携帯型電子手段の表面に設けられ、携帯型電子手段のモニタに設けられた貫通孔に対応し、シリコンカバーの外周は、携帯型電子手段のボタン及び接続ポートに対応する凸ブロックを有し、接続ポートに対応する凸ブロックには、内、外に貫通した挿入孔が形成され、接続ケーブルのコネクタを挿入するために供し、
該外フレームは、前方フレーム体と、後方フレーム体とを有し、前後方フレーム体は、それぞれ互いに接続してシリコンカバーを被覆し、前方フレーム体はシリコンカバーの貫通孔に対応して孔を有し、シリコンカバーの凸ブロックに対応して前半溝を有し、該前方フレーム体は、両側面に二つの前半滑動溝を有し、後方フレーム体は、シリコンカバーの凸ブロックに対応して後半溝を有し、該前、後半溝は組み合わさって凸ブロックを穿設するための孔を形成し、後方フレーム体の両側面には二つの後半滑動溝を有し、該前、後半滑動溝を組み合わせて滑動溝が形成され、
該滑動蓋は、接続体を有し、該接続体の両端から両側面が延伸し、接続体に設けられた凸部はシリコンカバー底面の凸ブロックの挿入孔内に挿設し、両側面はそれぞれ二つの滑動ボタンを有し、外フレームの二つの滑動溝内を滑動して嵌合し、滑動蓋は外フレームの底面端縁部で回転可能であることを特徴とする保護ケース。
【請求項１０】
前記滑動蓋は、揺動して位置決めされ、外フレームと挟角を形成し、携帯型電子手段を適宜な角度で支持することを特徴とする請求項９に記載の保護ケース。
【考案の詳細な説明】
【技術分野】
【０００１】
この考案は、保護ケースであって、特に携帯型電子機器を保護するために供する保護ケースに関する。
【背景技術】
【０００２】
近年、コンピューター技術の発展は、ユーザーの便利性を高める方向へ大幅に前進している。
【０００３】
よって、現在市場で販売されている携帯して使用する携帯型電子機器は、携帯電話、新型タブレット、スマートフォン、パーソナル・デジタル・アシスト（個人用携帯端末、Ｐｅｒｓｏｎａｌ  Ｄｉｇｉｔａｌ  Ａｓｉｓｔ、ＰＤＡ）、ノートブック型コンピュータ、音声圧縮方法の一つであるＭＰ３、映像データの圧縮方法の一つであるＭＰ４など便利なものが非常に多い。
【０００４】
携帯型電子機器の外側のケースは通常、焼付けワニスを行ったプラスチック製である。
【０００５】
携帯型電子手段は通常、必要に応じて外出して使用するために便利なように手提げカバンに入れて携帯することが多い。
【０００６】
しかしながら、手提げカバンの中でカバン内の他の製品とぶつかる、或は互いに擦れて摩擦が発生するなどして傷がつき易い。
【０００７】
特に使用中、落とす、或はぶつかるなどは焼付けワニスが損傷し易く、甚だしくは内部の部品が損傷するなどが発生する。
【０００８】
よって、上述の問題を改善するため、市場では携帯型電子手段に設ける様々なタイプの保護ケースが販売されている。
【０００９】
現在、市場で販売されている携帯型電子手段の保護ケースはいずれも形状及び模様が制限されているため、金型の開発コストなどを考慮すると、様式の変化が多くない。
【００１０】
よって、使用上、しばしば他の人と同じ製品を使用している場合や、他の人のものを自分のものと間違えるなどの状況が発生し易い。
【００１１】
異なる様式に変えるには、別にワンセット保護ケースを購入しなければならないため、他の人と同じ様式になり易く、形状を変えるためのコストが非常に高い。
【００１２】
このため、コストを考慮すると、一般のユーザーは其の日の気分に合わせて形状を変化させるなどができないため、現代人の変化を求め、パーソナライズしたいというニーズに合わせることができない。
【考案の開示】
【考案が解決しようとする課題】
【００１３】
この考案は、電子機器を確実に保護し、簡単で、好みに合わせて付け替えることができる携帯型電子手段の保護ケースを提供することを課題とする。
【課題を解決するための手段】
【００１４】
そこで、本考案者は従来の技術に見られる欠点に鑑みて鋭意研究を重ねた結果、外フレームと、後方蓋体と、前方蓋体と、を含んでなり、該外フレームが、前方フレーム体と後方フレーム体を含んでなり、該前後フレーム体が互いに接続してそれぞれ携帯型電子手段の外周面の前後半部分を被覆し、該前方フレーム体は前方側面両側にそれぞれ凹溝が設けられ、後方側面の凹溝に対応する位置に嵌合溝が設けられ、該後方フレーム体は内縁の後方側面に凸縁部を突設し、該後方蓋体が、後方フレーム内に設けられ、凸縁部の内側に嵌設され、該前方蓋体が、前方装飾体と、接続部材と、係止部材とを含んでなり、該前方装飾体が前方フレーム体内に設けられ、二つの対向する側面に二つの凹溝に延伸した凸部を具えてなり、前方装飾体が携帯型電子手段の前方側面を被覆し、該接続部材が可撓性を具えて変形して、一端が前方装飾体の一側面の凸部に接続し、他端が前、後フレーム体に挟持されて固定され、該係止部材が前方装飾体の別の側面の凸部に接続し、係止部材のフック部を嵌合溝に接続するために供する保護ケースによって課題を解決できる点に着眼し、かかる知見に基づいて本考案を完成させた。
【００１５】
以下、この考案について具体的に説明する。
請求項１に記載の保護ケースは、外フレームと、後方蓋体と、前方蓋体と、を含んでなり、
該外フレームが、前方フレーム体と後方フレーム体を含んでなり、該前後フレーム体が互いに接続してそれぞれ携帯型電子手段の外周面の前後半部分を被覆し、該前方フレーム体は前方側面両側にそれぞれ凹溝が設けられ、後方側面の凹溝に対応する位置に嵌合溝が設けられ、該後方フレーム体は内縁の後方側面に凸縁部を突設し、
該後方蓋体が、後方フレーム内に設けられ、凸縁部の内側に嵌設され、
該前方蓋体が、前方装飾体と、接続部材と、係止部材とを含んでなり、該前方装飾体が前方フレーム体内に設けられ、二つの対向する側面に二つの凹溝に延伸した凸部を具えてなり、前方装飾体が携帯型電子手段の前方側面を被覆し、該接続部材が可撓性を具えて変形して、一端が前方装飾体の一側面の凸部に接続し、他端が前、後フレーム体に挟持されて固定され、該係止部材が前方装飾体の別の側面の凸部に接続し、係止部材のフック部を嵌合溝に接続するために供する。
【００１６】
請求項２に記載の保護ケースは、請求項１における後方フレーム体が、前方側面に後方嵌合溝と比較的外径の小さい後方穿設溝を設けてなり、該後方穿設溝が後方嵌合溝から後方フレーム体の一側面に貫通し、前方フレーム体の後方側面には前方嵌合溝が設けられ、前、後フレーム体を対向して合わせ外フレームの後方に設け、前後嵌合溝が組み合わさって嵌合溝を形成し、接続部材の一端が後方穿設溝を穿設し、端縁部に比較的外径が大きい凸部が嵌合溝に設けるために供する。
【００１７】
請求項３に記載の保護ケースは、請求項１、２における前方装飾体が、表面に少なくとも一以上の図案を具えてなる。
【００１８】
請求項４に記載の保護ケースは、請求項１、２における後方蓋体が、複数の後方装飾体を具えてなる。
【００１９】
請求項５に記載の保護ケースは、請求項４における後方蓋体が、最も後方側面の後方装飾体が透明で、透明な後方装飾体と内側の後方装飾体との間に写真を挟んで設ける。
【００２０】
請求項６に記載の保護ケースは、請求項１、或は２における前方装飾体及び後方蓋体がソーラーパネルであって、太陽光エネルギーを電力に転換して携帯型電子手段に供給して使用できる構造からなる。
【００２１】
請求項７に記載の保護ケースは、請求項１、或は２における保護ケースが、二つの滑動ケースを含んでなり、外フレームの上下側面に携帯型電子手段の接続ポート部分に対応してそれぞれ少なくとも一以上の貫通孔を設けてなり、該二つの滑動ケースが移動、回転して外フレームの上下側面に接続し、外フレームの上下側面の貫通孔を被覆するか、露出させるかするために供することができる構造からなる。
【００２２】
請求項８に記載の保護ケースは、請求項７における外フレームが、二つの対向する側面にそれぞれ二つの滑動溝を設けてなり、それぞれの滑動溝が、互いに貫通して位置限定溝と位置決め溝とを含んでなり、該位置決め溝の内径が位置限定溝よりも小さく形成され、位置決め溝は位置限定溝の外側に位置して設けられ、位置決め溝の両側面にはそれぞれ距離をおいて排列して複数の位置決め凸部が突設され、二つの滑動ケースはそれぞれ両側面が外フレームの両側に延伸して形成され、それぞれの側面上には弾性ボタンを設けてなり、対応する滑動溝を滑動して係止するために供し、弾性ボタンは、側面上の円形の柱体に接続して設けられ、柱体の端縁部に設けられた比較的大きな外径の凸部に位置して設けられ、該凸部の端縁部は柱体の根元部分の少なくとも一以上の溝に延伸し、柱体は位置決め溝内を移動するために供し、該凸部は、位置限定溝内を移動、回転するために供し、溝は柱体が位置決め凸部が押し圧されて変形する時の弾性空間になる構造からなる。
【００２３】
請求項９に記載の保護ケースは、シリコンカバーと、外フレームと、滑動蓋とを含んでなり、
該シリコンカバーが、携帯型電子手段の表面に設けられ、携帯型電子手段のモニタに設けられた貫通孔に対応し、シリコンカバーの外周に携帯型電子手段のボタン及び接続ポートに対応する凸ブロックを設けてなり、接続ポートに対応する凸ブロックには内、外に貫通した挿入孔が形成され、接続ケーブルのコネクタを挿入するために供し、
該外フレームが、前方フレーム体と、後方フレーム体とを含んでなり、前後フレーム体は、それぞれ互いに接続してシリコンカバーを被覆し、前方フレーム体はシリコンカバーの貫通孔に対応して孔を具えてなり、シリコンカバーの凸ブロックに対応して前半溝を具えてなり、該前方フレーム体は、両側面に二つの前半滑動溝が設けられ、後方フレーム体は、シリコンカバーの凸ブロックに対応して後半溝を設けてなり、該前、後半溝は組み合わさって凸ブロックを穿設するために供する孔を形成し、後方フレーム体の両側面には二つの後半滑動溝が設けられ、該前、後半滑動溝を組み合わせて滑動溝が形成され、
該滑動蓋が、接続体を具えてなり、該接続体の両端から両側面が延伸して形成され、接続体に設けられた凸部はシリコンカバー底面の凸ブロックの挿入孔内に挿設するために供し、両側面はそれぞれ二つの滑動ボタンを具えてなり、外フレームの二つの滑動溝内を滑動して嵌合するために供し、滑動蓋が外フレームの底面端縁部に移動して回転する。
【００２４】
請求項１０に記載の保護ケースは、請求項９における滑動蓋が、揺動して位置決めされ、外フレームと挟角を形成するため、携帯型電子手段を適宜な角度で支持し、卓上で電子手段を見る、使用するために便利である構造からなる。
【考案の効果】
【００２５】
この考案による保護ケースは、構造が簡素でコストを節減でき、パーソナライズが簡単にできるため、実用的であるという効果を有する。
【考案を実施するための最良の形態】
【００２６】
この考案は、電子機器を確実に保護し、簡単で、好みに合わせて付け替えることができる携帯型電子手段の保護ケースであって、外フレームと、後方蓋体と、前方蓋体と、を含んでなり、
該外フレームが、前方フレーム体と後方フレーム体を含んでなり、該前後フレーム体が互いに接続してそれぞれ携帯型電子手段の外周面の前後半部分を被覆し、該前方フレーム体は前方側面両側にそれぞれ凹溝が設けられ、後方側面の凹溝に対応する位置に嵌合溝が設けられ、該後方フレーム体は内縁の後方側面に凸縁部を突設し、
該後方蓋体が、後方フレーム内に設けられ、凸縁部の内側に嵌設され、
該前方蓋体が、前方装飾体と、接続部材と、係止部材とを含んでなり、該前方装飾体が前方フレーム体内に設けられ、二つの対向する側面に二つの凹溝に延伸した凸部を具えてなり、前方装飾体が携帯型電子手段の前方側面を被覆し、該接続部材が可撓性を具えて変形して、一端が前方装飾体の一側面の凸部に接続し、他端が前、後フレーム体に挟持されて固定され、該係止部材が前方装飾体の別の側面の凸部に接続し、係止部材のフック部を嵌合溝に接続するために供する構造からなる保護ケースの構造と特徴を詳述するために具体的な実施例を挙げ、図示を参照にして以下に説明する。
【実施例】
【００２７】
図１から図３は、この考案の保護ケースの第一の実施形態を示したものである。
【００２８】
図面によれば、保護ケースは外フレーム１と、後方蓋体２と、前方蓋体３とを含んでなる。
【００２９】
該外フレーム１は、前方フレーム体１０と、後方フレーム１１とを含んでなる。
【００３０】
該前方、後方フレーム体１０、１１は、対向して合わさりそれぞれ携帯型電子手段６の外周の前方、後方部分を被覆する。
【００３１】
該前方フレーム体１０は上下にそれぞれ凹溝１２を設けてなり、後方側面の下方側面には該凹溝１２に対応して嵌合溝１３が設けられる。
【００３２】
該後方フレーム体１１は内縁の後方側面に凸縁部１４を突設する。
【００３３】
また、前方フレーム体１０は後方側面の上方側面に該凹溝１２に対応して前方嵌合溝１５を設けてなる。
【００３４】
該後方フレーム体１１は、前方側面の上方側面に後方嵌合溝１６と比較的外径の小さい後方穿設溝１６０を設けてなる。
【００３５】
該後方穿設溝１６０は、後方嵌合溝１６から後方フレーム体１１の上方側面に貫通する。
【００３６】
該前方、後方フレーム体１０、１１を外フレーム１に合わせて組み合わせると、該前方、後方嵌合溝１５、１６が組み合わさって嵌合溝を形成する。
【００３７】
該後方蓋体２は、二つの後方装飾体２０を含んでなり、且つ後方フレーム体１１の内側に設けられて、凸縁部１４の内側に嵌設される。
【００３８】
よって、携帯型電子手段６の後方側面を簡単に被覆することができる。
【００３９】
後方側面の後方装飾体２０の後方側面に設けられた凸部２１は後方フレーム体１１の後方側面の平面まで突出する。
【００４０】
また、二つの後方装飾体２０は、異なる色彩、或は少なくとも一以上の異なる図案を具えてなる。
【００４１】
該図案は、印刷、ペインティング、レーザーによる内、外からの彫刻などの方法で形成する。
【００４２】
この考案の実施形態では、後方蓋体２がソーラーパネルであって、太陽光エネルギーを電力として携帯型電子手段６に供給して使用することができる。
【００４３】
該前方蓋体３は、前方装飾体３０と、接続部材３１と、係止部材３２とを含んでなる。
【００４４】
前方装飾体３０は、前方フレーム体１０の内部に設けられ、携帯型電子手段６の前方側面を被覆するために供する。
【００４５】
前方装飾体３０は、上下側面にそれぞれ凸部３３を具えてなる。
【００４６】
該凸部３３が二つの凹溝１２内に延伸して設けると、前方装飾体３０の前方側面と前方フレーム体１０の前方側面とが平面で接触する。
【００４７】
前方装飾体３０は、透明か、或は色彩を具えて形成され、該前方装飾体３０表面には少なくとも一以上の図案が設けられる。
【００４８】
該図案は印刷、ペインティング、レーザーによる内、外から彫刻するなどの方法で形成する。
【００４９】
該接続部材３１は、可撓性を具えているため変形し、一端が前方装飾体３０の上方側面に設けられた凸部３３に接続し、他端には比較的大きな外径の凸部３４が設けられる。
【００５０】
該接続部材３１は、後方穿設溝１６０に穿設する。該凸部３４は、前方、後方嵌合溝１５、１６から形成された溝に挟まれ合さる。
【００５１】
該係止部材３２は前方装飾体３０の下方側面の凸部３３に接続し、フック部３５を具えているため、弾性を具えて嵌合溝１３に接続される。
【００５２】
この実施形態では、前方装飾体３０がソーラーパネルであって、太陽光エネルギーを電力に転換して携帯型電子手段６に供給して使用することができる。
【００５３】
図２、３に開示するように、通常、係止部材３２のフック部３５を嵌合溝１３に設けると、前方装飾体３０が携帯型電子手段６の前方側面を被覆して、保護する目的を達成することができる。
【００５４】
携帯型電子手段６を操作する場合、該係止部材３２を外側に向けて外すと、フック部３５が嵌合溝１３から離れる。
【００５５】
よって、前方装飾体３０が上方側面の接続部材３１の可撓性により変形して上方に開くように移動して携帯型電子手段６の前方側面が露出された状態になる。
【００５６】
この考案の前方、後方フレーム体１０、１１は、互いに外すと、後方蓋体２の二つの後方装飾体２０と前方蓋体３とが簡単に外フレーム１から外れる。
【００５７】
よって、異なる色、或は図案の後方装飾体２０及び前方蓋体３に交換するだけで、全体をはっきりとした変化をもたらすことができる。
【００５８】
また、形状も比較的多種多様に変化させることができ、非常に簡単で容易に変化させることができる。
【００５９】
このため、毎日、好みや、気分に合わせて保護ケースを付け替えたり、図案の好みのものに変えることができる。
【００６０】
さらに、形状を変えるためのコストを抑えるでき、前方蓋体３と、後方装飾体２０を変えるだけでよいため、製造コストも節減することができる。
【００６１】
オーダーメイドの異なる後方装飾体２０と前方蓋体３は、他人と同じスタイルになることを防ぐことができ、後方装飾体２０と、前方蓋体３だけをオーダーメイドすればよいのでコストをおさえることができる。
【００６２】
図４は、この考案の第二の実施形態を示したものである。
【００６３】
図面によれば、該実施形態は第一の実施形態と略同じであるが、第二の実施形態では後方蓋体２の内側の後方側面の後方装飾体２０を透明に形成する。
【００６４】
二つの後方装飾体２０の間に写真２２、或は図案を挟んで設けることができて、パーソナライズすることができる。
【００６５】
図５は、この考案の第三の実施形態を示したものである。
【００６６】
図面によれば、この実施形態は第一の実施形態と略同じであるが、第三の実施形態では、軟性のシリコンカバー４を含んでなる。
【００６７】
該シリコンカバー４は、携帯型電子手段６の外側を被覆するために供し、外フレーム１と携帯型電子手段６とを隔てることができるため、携帯型電子手段６の表面を外フレーム１が長時間挟まれて圧力や傷を受けることから防ぐことができる。
【００６８】
また、シリコンカバー４は携帯型電子手段６の振動を緩衝する、防水するなど供することができる。
【００６９】
図６から図９は、この考案の第四の実施形態を示したものである。
【００７０】
図面によれば、この実施形態は、第一の実施形態と略同じであるが、第四の実施形態では滑動ケース５を含んでなる。
【００７１】
外フレーム１の上下側面に携帯型電子手段６の接続ポートに対応してそれぞれ少なくとも一以上の貫通孔１７が設けられる。
【００７２】
該外フレーム１の二つの対向する側面にはそれぞれ二つの滑動溝１８が設けられる。
【００７３】
それぞれの滑動溝１８は、互いに貫通した位置限定溝１８０と位置決め溝１８１とを含んでなる。
【００７４】
該位置決め溝１８１の内径は位置限定溝１８０よりも小さく形成され、位置決め溝１８１は位置限定溝１８０の外側に位置して設けられる。
【００７５】
位置決め溝１８１の両側面にはそれぞれ距離をおいて排列して複数の位置決め凸部１８２が突設される。
【００７６】
二つの滑動ケース５は、外フレーム１の上下側面に接続して移動、回転し、滑動及び回転により外フレーム１の上下側面の貫通孔１７を被覆する、或は露出することができる。
【００７７】
二つの滑動ケース５はそれぞれ両側面５０が外フレーム１の両側に延伸して形成され、それぞれの側面５０上には弾性ボタン５１を設けてなり、対応する滑動溝１８を滑動して係止するために供する。
【００７８】
該弾性ボタン５１は、側面５０上の円形の柱体に接続して設けられ、柱体５２の端縁部に設けられた比較的大きな外径の凸部５３に位置して設けられる。
【００７９】
該凸部５３の端縁部は柱体５２の根元部分の少なくとも一以上の溝５４に延伸する。
【００８０】
柱体５２は位置決め溝１８１内を移動、回転するために供する。
【００８１】
該凸部５３は、位置限定溝１８０内を移動、回転するために供し、溝５４は柱体５２が位置決め凸部１８２が押し圧されて変形する時の弾性空間になる。
【００８２】
図７に開示するように、弾性ボタン５１の柱体５２は、溝５４により位置決め溝１８１を移動して弾性で位置決めする。
【００８３】
図６、図８に開示するように、二つの滑動ケース５は通常、外フレーム１の上下側面の貫通孔１７を被覆するために供し、防水の目的を達成することができる。
【００８４】
図９に開示するように、二つの滑動ケース５が外側に向けて移動、揺動して貫通孔１７が露出して携帯型電子手段６の接続ポートを使用するために便利である。
【００８５】
滑動ケース５と外フレーム１とが挟角を形成し、携帯型電子手段６が適宜な角度に支持されるため、卓上で携帯電話を見る、使用するために便利である。
【００８６】
図１０から１２は、この考案の第五の実施形態を示したものである。
【００８７】
図面によれば、携帯型電子手段の保護ケースは、シリコンカバー７、外フレーム８と、滑動蓋９とを含んでなる。
【００８８】
シリコンカバー７は、携帯型電子手段６の表面に設けられ、携帯型電子手段６のモニタ６０に設けられた貫通孔７０に対応する。
【００８９】
シリコンカバー７は外周に携帯型電子手段６のボタン６１及び接続ポート６２に対応する凸ブロック７１を設けてなる。
【００９０】
接続ポート６２に対応する凸ブロック７１には内、外に貫通した挿入孔７２が形成され、接続ケーブルのコネクタを挿入（図示しない）するために供する。
【００９１】
外フレーム８は、前方フレーム体８０と、後方フレーム体８１とを含んでなる。
【００９２】
前後フレーム体８０、８１は、それぞれ互いに接続してシリコンカバー７を被覆する。
【００９３】
前方フレーム体８０はシリコンカバー７の貫通孔７０に対応して孔８２を具えてなり、シリコンカバー７の凸ブロック７１に対応して前半溝８３を具えてなる。
【００９４】
該前方フレーム体８０は、両側面に二つの前半滑動溝８４が設けられる。
【００９５】
後方フレーム体８１は、シリコンカバー７の凸ブロック７１に対応して後半溝８５を設けてなる。
【００９６】
該前、後半溝８３、８５は組み合わさって凸ブロック７１を穿設するために供する孔を形成する。
【００９７】
後方フレーム体８１の両側面には二つの後半滑動溝８６が設けられる。
【００９８】
該前、後半滑動溝８４、８６が組み合わさって滑動溝が形成される。
【００９９】
滑動蓋９は、接続体９０を具えてなり、該接続体９０の両端から両側面９１が延伸して形成される。
【０１００】
接続体９０は、凸部９２はシリコンカバー７底面の凸ブロック７１の挿入孔７２内に挿設するために供する。
【０１０１】
両側面９１はそれぞれ二つの滑動ボタン９３を具えてなり、外フレーム８の二つの滑動溝内を滑動して嵌合するために供し、滑動蓋９が外フレーム８の底面端縁部に移動して回転する。
【０１０２】
図１１に開示するように、滑動蓋９の凸部９２は通常、シリコンカバー７底面の凸ブロック７１の挿入孔７２内に挿入して防水の目的を達成する。
【０１０３】
携帯型電子手段６の下方接続ポートは、外部接続の手段を使用する場合、滑動蓋９を下方に引き動かして凸部９２を挿入孔７２から外す。
【０１０４】
よって、外部接続手段の接続ケーブルのコネクタが挿入孔７２から接続ポート６２に挿入することができる。
【０１０５】
図１２に開示するように、滑動蓋９は、揺動して位置決めされ、外フレーム８と挟角を形成するため、携帯型電子手段６を適宜な角度で支持し、卓上で電子手段を見る、使用するために便利である。
【０１０６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【０１０７】
【図１】この考案の保護ケースの第一の実施形態を示した分解図である。
【図２】この考案の保護ケースの第一の実施形態を組み合わせた状態を示した断面図である。
【図３】この考案の保護ケースの第一の実施形態を示した一部拡大図である。
【図４】この考案の保護ケースの第二の実施形態を示した説明図である。
【図５】この考案の保護ケースの第三の実施形態を示した説明図である。
【図６】この考案の保護ケースの第四の実施形態を示した分解図である。
【図７】この考案の保護ケースの第四の実施形態の滑動溝と弾性ボタンの操作状態を示した説明図である。
【図８】この考案の保護ケースの第四の実施形態をあわせた状態を示した説明図である。
【図９】この考案の保護ケースの第四の実施形態の使用状態を示した説明図である。
【図１０】この考案の保護ケースの第五の実施形態を示した分解図である。
【図１１】この考案の保護ケースの第五の実施形態を組み合わせた状態を示した断面図である。
【図１２】この考案の保護ケースの第五の実施形態の使用状態を示した説明図である。
【符号の説明】
【０１０８】
１         外フレーム
１０       前方フレーム体
１１       後方フレーム体
１２       凹溝
１３       嵌合溝
１４       凸縁部
１５       前方嵌合溝
１６       後方嵌合溝
１６０     後方穿設溝
１７       貫通孔
１８       滑動溝
１８０     位置限定溝
１８１     位置決め溝
１８２     位置決め凸部
２         後方蓋体
２０       後方装飾体
２１       凸部
２２       写真
３         前方蓋体
３０       前方装飾体
３１       接続部材
３２       係止部材
３３       凸部
３４       凸部
３５       フック部
４         シリコンカバー
５         滑動ケース
５０       側面
５１       弾性ボタン
５２       柱体
５３       凸部
５４       溝
６         携帯型電子手段
６０       モニタ
６１       ボタン
６２       接続ポート
７         シリコンカバー
７０       貫通孔
７１       凸ブロック
７２        挿入孔
８         外フレーム
８０       前方フレーム体
８１       後方フレーム体
８２       孔
８３       前半溝
８４       前半滑動溝
８５       後半溝
８６       後半滑動溝
９         滑動蓋
９０       接続体
９１       側面
９２       凸部
９３       滑動ボタン
【図１】
0003170431.tif 000003
【図２】
0003170431.tif 000004
【図３】
0003170431.tif 000005
【図４】
0003170431.tif 000006
【図５】
0003170431.tif 000007
【図６】
0003170431.tif 000008
【図７】
0003170431.tif 000009
【図８】
0003170431.tif 000010
【図９】
0003170431.tif 000011
【図１０】
0003170431.tif 000012
【図１１】
0003170431.tif 000013
【図１２】
0003170431.tif 000014